(57)【要約】【課題】任意のアドレスに素早く正確にアクセスする。【解決手段】ステップＳ１において、アドレス発生部は、光ディスクに記録する同期信号、アドレスデータ、およびアドレスデータのエラー訂正符号から成るアドレス情報を発生し、プリエンコードして変調部に出力する。それと同時に、キャリア信号生成部は、アドレス情報をのせるキャリア信号を生成して変調部に出力する。ステップＳ２において、変調部は、キャリア信号生成部から入力されたキャリア信号を、アドレス発生部から入力されたプリエンコードされたアドレス情報でMSK変調し、得られたMSK変調信号をウォブル形成部に出力する。ステップＳ３において、ウォブル形成部は、スパイラル状に、かつ、変調部から入力されたMSK変調信号に従ってウォブリングさせたグルーブを光ディスクに形成する。【選択図】図１２
2010205406.tif 000002
【特許請求の範囲】
【請求項１】
ディスク媒体にアドレス情報を記録する記録装置において、
複数のシンクユニットパターンを含む同期信号、アドレスデータ、および前記アドレスデータのエラー訂正符号から構成される前記アドレス情報を発生する発生手段と、
発生された前記アドレス情報に対応してキャリア信号をMSK変調し、MSK変調信号を生成する変調手段と、
スパイラル状であって、かつ、生成された前記MSK変調信号に対応してウォブリングさせたグルーブを前記ディスク媒体に形成する形成手段と
を含む記録装置。
【請求項２】
前記ディスク媒体は、光ディスクである
請求項１に記載の記録装置。
【請求項３】
前記変調手段は、発生された前記アドレス情報に対応して前記キャリア信号をMSK変調し、無変調部分と変調部分からなる前記MSK変調信号を生成する
請求項１に記載の記録装置。
【請求項４】
前記MSK変調信号の前記無変調部分の周波数は、前記キャリア信号の周波数と同一であり、
前記MSK変調信号の前記変調部分の周波数は、前記キャリア信号の周波数の１．５倍である
請求項２に記載の記録装置。
【請求項５】
前記変調手段は、
前記アドレス情報の１ビットのデータ”０”に対応して、前記無変調部分と前記変調部分が第１の順序で配置された前記MSK変調信号を生成し、
前記アドレス情報の１ビットのデータ”１”に対応して、前記無変調部分と前記変調部分が第２の順序で配置された第２のパターンの前記MSK変調信号を生成する
請求項２に記載の記録装置。
【請求項６】
ディスク媒体にアドレス情報を記録する記録装置の記録方法において、
複数のシンクユニットパターンを含む同期信号、アドレスデータ、および前記アドレスデータのエラー訂正符号から構成される前記アドレス情報を発生する発生ステップと、
発生された前記アドレス情報に対応してキャリア信号をMSK変調し、MSK変調信号を生成する変調ステップと、
スパイラル状であって、かつ、生成された前記MSK変調信号に対応してウォブリングさせたグルーブを前記ディスク媒体に形成する形成ステップと
を含む記録方法。
【請求項７】
ディスク媒体にアドレス情報を記録するコンピュータの制御用のプログラムであって、
複数のシンクユニットパターンを含む同期信号、アドレスデータ、および前記アドレスデータのエラー訂正符号から構成される前記アドレス情報を発生する発生ステップと、
発生された前記アドレス情報に対応してキャリア信号をMSK変調し、MSK変調信号を生成する変調ステップと、
スパイラル状であって、かつ、生成された前記MSK変調信号に対応してウォブリングさせたグルーブを前記ディスク媒体に形成する形成ステップと
を含む処理をコンピュータに実行させるプログラムが記録されている記録媒体。
【請求項８】
ディスク媒体にアドレス情報を記録するコンピュータに、
複数のシンクユニットパターンを含む同期信号、アドレスデータ、および前記アドレスデータのエラー訂正符号から構成される前記アドレス情報を発生する発生ステップと、
発生された前記アドレス情報に対応してキャリア信号をMSK変調し、MSK変調信号を生成する変調ステップと、
スパイラル状であって、かつ、生成された前記MSK変調信号に対応してウォブリングさせたグルーブを前記ディスク媒体に形成する形成ステップと
を含む処理を実行させるプログラム。
【請求項９】
ディスク媒体に形成されたグルーブのウォブルに基づき、前記ディスク媒体のアドレスを再生する再生装置において、
前記ディスク媒体にレーザ光を照射する照射手段と、
前記ディスク媒体からの反射光を受光して、前記反射光に対応する反射光信号を生成する受光手段と、
生成された前記反射光信号に基づき、前記グルーブの前記ウォブルに対応するウォブル信号を生成する生成手段と、
生成された前記ウォブル信号からノイズ成分を除去して、MSK変調信号を抽出する抽出手段と、
前記MSK変調信号を復調して、複数のシンクユニットパターンを含む同期信号、アドレスデータ、および前記アドレスデータのエラー訂正符号から構成されるアドレス情報を復元する復調手段と、
復元された前記アドレス情報の前記同期信号に含まれる複数の前記シンクユニットパターンのうち、少なくとも１つを検出する検出手段と、
検出された前記シンクユニットパターンの位置に基づき、前記アドレス情報から前記アドレスデータおよび前記アドレスデータの前記エラー訂正符号を取得する取得手段と、
取得された前記アドレスデータおよび前記アドレスデータの前記エラー訂正符号を用いて前記アドレスを再生する再生手段と
を含む再生装置。
【請求項１０】
前記ディスク媒体は、光ディスクである
請求項９に記載の再生装置。
【請求項１１】
ディスク媒体に形成されたグルーブのウォブルに基づき、前記ディスク媒体のアドレスを再生する再生装置の再生方法において、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号からノイズ成分を除去して、MSK変調信号を抽出する抽出ステップと、
前記MSK変調信号を復調して、複数のシンクユニットパターンを含む同期信号、アドレスデータ、および前記アドレスデータのエラー訂正符号から構成されるアドレス情報を復元する復調ステップと、
復元された前記アドレス情報の前記同期信号に含まれる複数の前記シンクユニットパターンのうち、少なくとも１つを検出する検出ステップと、
検出された前記シンクユニットパターンの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む再生方法。
【請求項１２】
ディスク媒体に形成されたグルーブのウォブルに基づき、前記ディスク媒体のアドレスを再生するコンピュータの制御用のプログラムであって、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号からノイズ成分を除去して、MSK変調信号を抽出する抽出ステップと、
前記MSK変調信号を復調して、複数のシンクユニットパターンを含む同期信号、アドレスデータ、および前記アドレスデータのエラー訂正符号から構成されるアドレス情報を復元する復調ステップと、
復元された前記アドレス情報の前記同期信号に含まれる複数の前記シンクユニットパターンのうち、少なくとも１つを検出する検出ステップと、
検出された前記シンクユニットパターンの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む処理をコンピュータに実行させるプログラムが記録されている記録媒体。
【請求項１３】
ディスク媒体に形成されたグルーブのウォブルに基づき、前記ディスク媒体のアドレスを再生する処理を制御するコンピュータに、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号からノイズ成分を除去して、MSK変調信号を抽出する抽出ステップと、
前記MSK変調信号を復調して、複数のシンクユニットパターンを含む同期信号、アドレスデータ、および前記アドレスデータのエラー訂正符号から構成されるアドレス情報を復元する復調ステップと、
復元された前記アドレス情報の前記同期信号に含まれる複数の前記シンクユニットパターンのうち、少なくとも１つを検出する検出ステップと、
検出された前記シンクユニットパターンの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む処理を実行させるプログラム。
【請求項１４】
スパイラル状であって、かつ、複数のシンクユニットパターンを含む同期信号、アドレスデータ、およびアドレスデータのエラー訂正符号から構成されるアドレス情報に対応するMSK変調信号に対応してウォブリングされたグルーブが形成されている
ディスク媒体。
【請求項１５】
前記ディスク媒体は、光ディスクである
請求項１４に記載のディスク媒体。
【発明の詳細な説明】
【技術分野】
【０００１】
本発明は、記録装置、記録方法、再生装置、再生方法、記録媒体、プログラム、およびディスク媒体に関し、特に、ディスク媒体に対して、アドレス情報をグルーブのウォブルとして記録できるようにした記録装置、記録方法、再生装置、再生方法、記録媒体、プログラム、およびディスク媒体に関する。
【背景技術】
【０００２】
従来、光ディスク、磁気ディスク、光磁気ディスクのようなディスク媒体には、トラッキングを行うためにスパイラル状にグルーブが形成されている。また、グルーブをアドレス情報に対応してウォブリング(wobbling)させることによってアドレス情報を記録することが知られている。
【０００３】
例えば、CD-R(Compact Disc-Recordable)やＭＤ(Mini-Disc)には、スパイラル状であって、かつ、アドレス情報に基づいてＦＭ変調されたキャリア信号（以下、ＦＭ変調信号と記述する）に対応してウォブリングされたグルーブが形成されている。
【発明の概要】
【発明が解決しようとする課題】
【０００４】
しかしながら、ＦＭ変調信号に対応してグルーブをウォブリングさせる方法では、アドレス情報を高い精度で検出することができず、ディスク媒体にデータを記録するとき、および記録されたデータを再生するときにおいて、任意のアドレスに高い精度でアクセスすることができなかった。そのため、ディスク媒体にデータを記録する際、そのデータの前後に非常に大きなリンクエリア（データを記録しない領域）を設ける必要があり、ディスク媒体の記録領域を無駄にしてしまっていた。
【０００５】
本発明はこのような状況に鑑みてなされたものであり、アドレス情報を正確に再生できるようにすることにより、任意のアドレスに素早く正確にアクセスできるようにするものである。
【課題を解決するための手段】
【０００６】
本発明の第１の側面である記録装置は、ディスク媒体にアドレス情報を記録する記録装置において、複数のシンクユニットパターンを含む同期信号、アドレスデータ、および前記アドレスデータのエラー訂正符号から構成される前記アドレス情報を発生する発生手段と、発生された前記アドレス情報に対応してキャリア信号をMSK変調し、MSK変調信号を生成する変調手段と、スパイラル状であって、かつ、生成された前記MSK変調信号に対応してウォブリングさせたグルーブを前記ディスク媒体に形成する形成手段とを含む。
【０００７】
前記ディスク媒体は、光ディスクとすることができる。
【０００８】
前記変調手段は、発生された前記アドレス情報に対応して前記キャリア信号をMSK変調し、無変調部分と変調部分からなる前記MSK変調信号を生成することができる。
【０００９】
前記MSK変調信号の前記無変調部分の周波数は、前記キャリア信号の周波数と同一であり、前記MSK変調信号の前記変調部分の周波数は、前記キャリア信号の周波数の１．５倍とすることができる。
【００１０】
前記変調手段は、前記アドレス情報の１ビットのデータ”０”に対応して、前記無変調部分と前記変調部分が第１の順序で配置された前記MSK変調信号を生成し、前記アドレス情報の１ビットのデータ”１”に対応して、前記無変調部分と前記変調部分が第２の順序で配置された第２のパターンの前記MSK変調信号を生成することができる。
【００１１】
本発明の第１の側面である記録方法は、ディスク媒体にアドレス情報を記録する記録装置の記録方法において、複数のシンクユニットパターンを含む同期信号、アドレスデータ、および前記アドレスデータのエラー訂正符号から構成される前記アドレス情報を発生する発生ステップと、発生された前記アドレス情報に対応してキャリア信号をMSK変調し、MSK変調信号を生成する変調ステップと、スパイラル状であって、かつ、生成された前記MSK変調信号に対応してウォブリングさせたグルーブを前記ディスク媒体に形成する形成ステップとを含む。
【００１２】
本発明の第１の側面である記録媒体は、ディスク媒体にアドレス情報を記録するコンピュータの制御用のプログラムであって、複数のシンクユニットパターンを含む同期信号、アドレスデータ、および前記アドレスデータのエラー訂正符号から構成される前記アドレス情報を発生する発生ステップと、発生された前記アドレス情報に対応してキャリア信号をMSK変調し、MSK変調信号を生成する変調ステップと、スパイラル状であって、かつ、生成された前記MSK変調信号に対応してウォブリングさせたグルーブを前記ディスク媒体に形成する形成ステップとを含む処理をコンピュータに実行させるプログラムが記録されている。
【００１３】
本発明の第１の側面であるプログラムは、ディスク媒体にアドレス情報を記録するコンピュータに、複数のシンクユニットパターンを含む同期信号、アドレスデータ、および前記アドレスデータのエラー訂正符号から構成される前記アドレス情報を発生する発生ステップと、発生された前記アドレス情報に対応してキャリア信号をMSK変調し、MSK変調信号を生成する変調ステップと、スパイラル状であって、かつ、生成された前記MSK変調信号に対応してウォブリングさせたグルーブを前記ディスク媒体に形成する形成ステップとを含む処理を実行させる。
【００１４】
本発明の第１の側面においては、複数のシンクユニットパターンを含む同期信号、アドレスデータ、およびアドレスデータのエラー訂正符号から構成されるアドレス情報が発生され、発生されたアドレス情報に対応してキャリア信号がMSK変調されてMSK変調信号が生成され、スパイラル状であって、かつ、生成されたMSK変調信号に対応してウォブリングさせたグルーブがディスク媒体に形成される。
【００１５】
本発明の第２の側面である再生装置は、ディスク媒体に形成されたグルーブのウォブルに基づき、前記ディスク媒体のアドレスを再生する再生装置において、前記ディスク媒体にレーザ光を照射する照射手段と、前記ディスク媒体からの反射光を受光して、前記反射光に対応する反射光信号を生成する受光手段と、生成された前記反射光信号に基づき、前記グルーブの前記ウォブルに対応するウォブル信号を生成する生成手段と、生成された前記ウォブル信号からノイズ成分を除去して、MSK変調信号を抽出する抽出手段と、前記MSK変調信号を復調して、複数のシンクユニットパターンを含む同期信号、アドレスデータ、および前記アドレスデータのエラー訂正符号から構成されるアドレス情報を復元する復調手段と、復元された前記アドレス情報の前記同期信号に含まれる複数の前記シンクユニットパターンのうち、少なくとも１つを検出する検出手段と、検出された前記シンクユニットパターンの位置に基づき、前記アドレス情報から前記アドレスデータおよび前記アドレスデータの前記エラー訂正符号を取得する取得手段と、取得された前記アドレスデータおよび前記アドレスデータの前記エラー訂正符号を用いて前記アドレスを再生する再生手段とを含む。
【００１６】
前記ディスク媒体は、光ディスクとすることができる。
【００１７】
本発明の第２の側面である再生方法は、ディスク媒体に形成されたグルーブのウォブルに基づき、前記ディスク媒体のアドレスを再生する再生装置の再生方法において、前記ディスク媒体にレーザ光を照射する照射ステップと、前記ディスク媒体からの反射光を受光して、前記反射光に対応する反射光信号を生成する受光ステップと、生成された前記反射光信号に基づき、前記グルーブの前記ウォブルに対応するウォブル信号を生成する生成ステップと、生成された前記ウォブル信号からノイズ成分を除去して、MSK変調信号を抽出する抽出ステップと、前記MSK変調信号を復調して、複数のシンクユニットパターンを含む同期信号、アドレスデータ、および前記アドレスデータのエラー訂正符号から構成されるアドレス情報を復元する復調ステップと、復元された前記アドレス情報の前記同期信号に含まれる複数の前記シンクユニットパターンのうち、少なくとも１つを検出する検出ステップと、検出された前記シンクユニットパターンの位置に基づき、前記アドレス情報から前記アドレスデータおよび前記アドレスデータの前記エラー訂正符号を取得する取得ステップと、取得された前記アドレスデータおよび前記アドレスデータの前記エラー訂正符号を用いて前記アドレスを再生する再生ステップとを含む。
【００１８】
本発明の第２の側面である記録媒体は、ディスク媒体に形成されたグルーブのウォブルに基づき、前記ディスク媒体のアドレスを再生するコンピュータの制御用のプログラムであって、前記ディスク媒体にレーザ光を照射する照射ステップと、前記ディスク媒体からの反射光を受光して、前記反射光に対応する反射光信号を生成する受光ステップと、生成された前記反射光信号に基づき、前記グルーブの前記ウォブルに対応するウォブル信号を生成する生成ステップと、生成された前記ウォブル信号からノイズ成分を除去して、MSK変調信号を抽出する抽出ステップと、前記MSK変調信号を復調して、複数のシンクユニットパターンを含む同期信号、アドレスデータ、および前記アドレスデータのエラー訂正符号から構成されるアドレス情報を復元する復調ステップと、復元された前記アドレス情報の前記同期信号に含まれる複数の前記シンクユニットパターンのうち、少なくとも１つを検出する検出ステップと、検出された前記シンクユニットパターンの位置に基づき、前記アドレス情報から前記アドレスデータおよび前記アドレスデータの前記エラー訂正符号を取得する取得ステップと、取得された前記アドレスデータおよび前記アドレスデータの前記エラー訂正符号を用いて前記アドレスを再生する再生ステップとを含む処理をコンピュータに実行させるプログラムが記録されている。
【００１９】
本発明の第２の側面であるプログラムは、ディスク媒体に形成されたグルーブのウォブルに基づき、前記ディスク媒体のアドレスを再生する処理を制御するコンピュータに、前記ディスク媒体にレーザ光を照射する照射ステップと、前記ディスク媒体からの反射光を受光して、前記反射光に対応する反射光信号を生成する受光ステップと、生成された前記反射光信号に基づき、前記グルーブの前記ウォブルに対応するウォブル信号を生成する生成ステップと、生成された前記ウォブル信号からノイズ成分を除去して、MSK変調信号を抽出する抽出ステップと、前記MSK変調信号を復調して、複数のシンクユニットパターンを含む同期信号、アドレスデータ、および前記アドレスデータのエラー訂正符号から構成されるアドレス情報を復元する復調ステップと、復元された前記アドレス情報の前記同期信号に含まれる複数の前記シンクユニットパターンのうち、少なくとも１つを検出する検出ステップと、検出された前記シンクユニットパターンの位置に基づき、前記アドレス情報から前記アドレスデータおよび前記アドレスデータの前記エラー訂正符号を取得する取得ステップと、取得された前記アドレスデータおよび前記アドレスデータの前記エラー訂正符号を用いて前記アドレスを再生する再生ステップとを含む処理を実行させる。
【００２０】
本発明の第２の側面においては、ディスク媒体にレーザ光が照射され、ディスク媒体からの反射光に対応する反射光信号が生成され、生成された反射光信号に基づき、グルーブのウォブルに対応するウォブル信号が生成され、生成されたウォブル信号からノイズ成分が除去されてMSK変調信号が抽出される。さらに、MSK変調信号が復調されて、複数のシンクユニットパターンを含む同期信号、アドレスデータ、およびアドレスデータのエラー訂正符号から構成されるアドレス情報が復元され、復元されたアドレス情報の同期信号に含まれる複数のシンクユニットパターンのうち、少なくとも１つが検出されて、検出されたシンクユニットパターンの位置に基づき、アドレス情報からアドレスデータおよびアドレスデータのエラー訂正符号が取得され、取得されたアドレスデータおよびアドレスデータのエラー訂正符号が用いられてアドレスが再生される。
【００２１】
本発明の第３の側面であるディスク媒体は、スパイラル状であって、かつ、複数のシンクユニットパターンを含む同期信号、アドレスデータ、およびアドレスデータのエラー訂正符号から構成されるアドレス情報に対応するMSK変調信号に対応してウォブリングされたグルーブが形成されている。
【００２２】
前記ディスク媒体は、光ディスクとすることができる。
【００２３】
本発明の第３の側面であるディスク媒体は、スパイラル状であって、かつ、複数のシンクユニットパターンを含む同期信号、アドレスデータ、およびアドレスデータのエラー訂正符号から構成されるアドレス情報に対応するMSK変調信号に対応してウォブリングされたグルーブが形成されている。
【００２４】
本発明の第３の側面においては、スパイラル状であって、ウォブリングされたグルーブから、複数のシンクユニットパターンを含む同期信号、アドレスデータ、およびアドレスデータのエラー訂正符号から構成されるアドレス情報が読み出される。
【発明の効果】
【００２５】
本発明の第１の側面によれば、同期信号の位置を正確に検知できるようなアドレス情報をディスク媒体に記録することが可能となる。
【００２６】
本発明の第２の側面によれば、任意のアドレスを素早く正確に再生することが可能となる。
【００２７】
本発明の第３の側面によれば、任意のアドレスに素早く正確にアクセスすることが可能となる。
【図面の簡単な説明】
【００２８】
【図１】本発明の一実施の形態であるアドレス記録装置の構成例を示すブロック図である。
【図２】スパイラル状に形成されるグルーブについて説明するための図である。
【図３】グルーブのウォブルについて説明するための図である。
【図４】MSK変調信号の無変調部分と変調部分を説明するための図である。
【図５】モノトーンビットとADIPビットを示す図である。
【図６】記録再生クラスタRUBに対応するアドレス情報(ADIP)の構造を示す図である。
【図７】８ビットのシンクパートの構造を示す図である。
【図８】シンクパートに含まれる４種類のシンクユニットパターンを示す図である。
【図９】７５ビットのデータパートの構造を示す図である。
【図１０】２種類のADIPユニットパターンを示す図である。
【図１１】アドレスデータのエラー訂正符号について説明するための図である。
【図１２】アドレス記録装置のアドレス記録処理を説明するフローチャートである。
【図１３】光ディスク５からアドレス情報を再生する光ディスクドライブの構成例を示すブロック図である。
【図１４】ウォブル回路３２によるDMSK変調信号を復調する処理を説明するための図である。
【図１５】ウォブル回路３２によるGDMSK変調信号を復調する処理を説明するための図である。
【発明を実施するための形態】
【００２９】
図１は、本発明の一実施の形態であるアドレス記録装置の構成例を示している。当該アドレス記録装置は、光ディスクの製造時において、図２に示すように、トラッキングのためにスパイラル状であって、かつ、図３に示すように、アドレス情報に対応してウォブリングさせたグルーブを光ディスクに形成するものである。
【００３０】
当該アドレス記録装置において、アドレス発生部１は、アドレスデータの位置を示すための同期信号、アドレスデータ、およびアドレスデータのエラー訂正符号からなるディジタルデータのアドレス情報を発生し、プリエンコードして変調部３に出力する。
【００３１】
キャリア信号生成部２は、アドレス情報をのせるキャリア信号を生成して変調部３に出力する。
【００３２】
変調部３は、キャリア信号生成部２から入力される図４（Ａ）に示すようなキャリア信号を、アドレス発生部１からのプリエンコードされたアドレス情報に対応してMSK(Minimum Shift Keying)変調し、得られる図４（Ｂ）乃至図４（Ｄ）に示すようなMSK変調信号をウォブル形成部４に出力する。なお、ここで用いられるMSK変調は、DMSK(Differential Minimum Shift Keying)変調やGDMSK(Gausian filtered Differential Minimum Shift Keying)変調であってもよい。
【００３３】
MSK変調信号のうち、図４（Ｂ）に示すように、キャリア信号と同じ周波数である期間の信号の１ウォブル（１周期分のウォブル）は、プリエンコードされたアドレス情報のコード”０”に対応する。また、MSK変調信号のうち、図４（Ｃ）に示すように、キャリア信号の１．５倍の周波数（２／３倍の波長）の期間の信号の１．５波（キャリア信号の１ウォブルに相当する）は、プリエンコードされたアドレス情報のコード”１”に対応する。
【００３４】
例えば、図４（Ｄ）に示すようなMSK変調信号は、プリエンコードされたアドレス情報のコード”１０１０”に対応する。
【００３５】
以下、MSK変調信号のうちのキャリア信号と同じ周波数である部分を、無変調部分と記述する。MSK変調信号のうちのキャリア信号の１．５倍の周波数の部分を、変調部分と記述する。また、変調部分の波数について説明するときには、相当する無変調部分のウォブルの数を用いて記述する。
【００３６】
ウォブル形成部４は、スパイラル状に、かつ、変調部３から入力されるMSK変調信号に従ってウォブリングさせたグルーブを光ディスク５に形成する。
【００３７】
なお、アドレス情報の１ビットは、図５に示すように、４２ウォブルの第１の信号からなるモノトーンビット(monotone bit)と、４２ウォブルに第２の信号が含まれるADIPビット等に分類される。
【００３８】
制御部６は、ドライブ７を制御して、磁気ディスク８、光ディスク９、光磁気ディスク１０、または半導体メモリ１１に記憶されている制御用プログラムを読み出し、読み出した制御用プログラムに基づいてアドレス記録装置の全体を制御する。
【００３９】
図６は、光ディスク５の記録再生クラスタRUB(Recording Unit Block)に対応して記録されるアドレス情報の構造を示している。記録再生クラスタRUBには、２つのアドレス情報(ADIP：Address In Pre-groove)が記録される。８３ビットよりなる１つのアドレス情報は、同期信号を示す８ビットのシンクパート(SYNC)と、アドレスデータおよびそのエラー訂正符号を示す７５ビットのデータパート(Data)からなる。
【００４０】
図７は、８ビットのシンクパートの構造を示している。同図に示すように、シンクパートは、１ビットのモノトーンビットと、１ビットのシンクビット(Sync bit)からなる４個のシンクブロック”１”乃至シンクブロック”４”から構成される。
【００４１】
１ビット（４２ウォブル）のシンクビットは、図８に示すように、第２の信号を含む１４ウォブルのシンクユニットと、２８ウォブルのモノトーン（第１の信号）からなる。
【００４２】
図８（Ａ）乃至（Ｄ）は、それぞれシンクブロック”１”乃至シンクブロック”４”に対応するウォブル、すなわち、MSK変調信号を示している。
【００４３】
シンクブロック”１”のシンクユニットは、図８（Ａ）に示すような第１のシンクユニットパターン”１０１０１０１０００００００”を示すウォブルとして形成される。シンクブロック”２”のシンクユニットは、図８（Ｂ）に示すような第２のシンクユニットパターン”１０１０００１０１０００００”を示すウォブルとして形成される。シンクブロック”３”のシンクユニットは、図８（Ｃ）に示すような第３のシンクユニットパターン”１０１０００００１０１０００”を示すウォブルとして形成される。シンクブロック”４”のシンクユニットは、図８（Ｄ）に示すような第４のシンクユニットパターン”１０１０００００００１０１０”を示すウォブルとして形成される。
【００４４】
８ビットのシンクパートには、上述した第１乃至第４のパターンの全てが含まれることになるが、再生時においては、第１乃至第４のパターンのうちの少なくとも１つを再生することができれば、シンクパートの位置を確定できる、すなわち、アドレス情報を正確に再生することが可能となる。
【００４５】
図９は、７５ビットのデータパートの構造を示している。同図に示すように、データパートは、１ビットのモノトーンビットと、４ビットのADIPビットから成る１５個のADIPブロック”１”乃至ADIPブロック”１５”から構成されている。
【００４６】
ADIPブロックを構成する１ビットのモノトーンビットは、図１０（Ａ）に示すように、４２ウォブルの無変調部分からなる。ADIPブロックを構成する４ビットのADIPビットのうちの１ビットは、図１０（Ｂ）に示すように、変調部分を含む６ウォブルのADIPユニットと、３６ウォブルの無変調部分からなる。
【００４７】
変調部分を含む６ウォブルのADIPユニットには、第１および第２のADIPユニットパターンが存在する。
【００４８】
アドレス情報のうちのアドレスデータの１ビットのディジタルデータ”１”に相当するADIPビットのADIPユニットは、第１のADIPユニットパターン”１０１０００”よりなる。また、アドレス情報のうちのアドレスデータの１ビットのディジタルデータ”０”に相当するADIPビットのADIPユニットは、第２のADIPユニットパターン”００１０１０”よりなる。
【００４９】
図１１は、アドレスデータおよびそのエラー訂正符号を示している。２８ビット（＝７ニブル(nibble)）のアドレスデータに対して、３２ビット（＝８ニブル）のエラー訂正符号(Parity)が付加される。なお、２８ビットのアドレスデータの内訳は、２０ビットのRUB番号、２ビットのRUBアドレス番号、および２ビットの多層ディスク用の情報、および４ビットのリザーブである。エラー訂正方式は、ニブルベースのリードソロモン符号ＲＳ（１５，７，９）が用いられる。
【００５０】
次に、当該アドレス記録装置のアドレス記録処理について、図１２のフローチャートを参照して説明する。
【００５１】
ステップＳ１において、アドレス発生部１は、光ディスク５に記録する同期信号、アドレスデータ、およびアドレスデータのエラー訂正符号から成るアドレス情報を発生し、プリエンコードして変調部３に出力する。それと同時に、キャリア信号生成部２は、アドレス情報をのせるキャリア信号を生成して変調部３に出力する。
【００５２】
ステップＳ２において、変調部３は、キャリア信号生成部２から入力されたキャリア信号を、アドレス発生部１から入力されたプリエンコードされたアドレス情報でMSK変調し、得られたMSK変調信号をウォブル形成部４に出力する。
【００５３】
ステップＳ３において、ウォブル形成部４は、スパイラル状に、かつ、変調部３から入力されたMSK変調信号に従ってウォブリングさせたグルーブを光ディスク５に形成する。
【００５４】
以上説明したように、当該アドレス記録装置によるアドレス記録処理によれば、いずれか１つでも検出することができれば、同期信号の位置を特定することができる、異なる４種類のシンクユニットパターンを同期信号に含ませてアドレス情報を生成し、アドレス情報に対応するMSK変調信号に対応してグルーブをウォブリングさせて光ディスク５に形成することが可能である。
【００５５】
それにより、アドレスの位置の検出精度が非常に高い光ディスク５を実現することができる。よって、データ記録領域にリンクエリアのような無駄な領域を設ける必要がなくなるので、データ記録領域を有効に利用できる光ディスク５を実現することができる。
【００５６】
次に、図１３は、上述した当該アドレス記録装置により、アドレス情報がグルーブのウォブルとして記録されている光ディスク５に対し、任意のデータを記録し、また再生する光ディスクドライブの構成例を示している。
【００５７】
当該光ディスクドライブにおいて、制御回路２１は、記録媒体２２に記録されている制御用プログラムに基づいて光ディスクドライブの各部を制御する。具体的には、ＡＶインタフェース２３を介して外部のＡＶ機器等（不図示）から入力される記録コマンドに対応して光ディスクドライブの各部を制御し、ＡＶ機器等から入力される記録データに対応するマークを光ディスク５に記録させる。また、ＡＶインタフェース２３を介して外部のＡＶ機器等から入力される再生コマンドに対応し、光ディスクドライブの各部を制御して光ディスク５に記録されているマークを読み出して記録データを再生させ、ＡＶインタフェース２３を介して外部のＡＶ機器等に出力させる。
【００５８】
スピンドル回路２４は、制御回路２１からの指令に基づいてスピンドルモータ２６の回転を制御する。サーボ回路２５は、制御回路２１から指令されるアドレスに光ピックアップ２７をシークさせるとともに、光学ヘッド回路２８から入力されるフォーカスエラー信号およびトラッキングエラー信号に基づいて、光ピックアップ２７のフォーカスサーボおよびトラッキングサーボを制御する。スピンドルモータ２６は、スピンドル回路２４からの制御に基づいて光ディスク５を回転駆動する。
【００５９】
レーザ出力系、反射光受光系、２軸アクチュエータ等よりなる光ピックアップ２７は、記録時において、光学ヘッド回路２８からの制御に基づき、光ディスク５にレーザ光を照射することによってマークを形成する。また、光ピックアップ２７は、記録再生時において、光ディスク５にレーザ光を照射し、その反射光を受光して対応する反射光信号を生成し、光学ヘッド回路２８に出力する。
【００６０】
光学ヘッド回路２８は、記録時において、記録再生回路２９から入力されるヘッダ信号、または記録補償された２値化信号に対応して光ピックアップ２７のレーザ出力を制御する。光学ヘッド回路２８は、再生時において、光ピックアップ２７からの反射光信号に基づいて、光ディスク５に記録されているエンボスピットやマークに対応するＲＦ信号を生成して記録再生回路２９に出力する。さらに、光学ヘッド回路２８は、記録再生時において、光ピックアップ２７からの反射光信号に基づいて、フォーカスエラー信号、およびトラッキングエラー信号を生成してサーボ回路２５に出力し、ｐｐ(push pull)信号を生成してウォブル回路３２に出力する。
【００６１】
記録再生回路２９は、制御回路２１からの制御に基づき、記録時において、変復調回路３０からの２値化信号を記録補償して光学ヘッド回路２８に供給する。さらに、記録再生回路２９は、再生時において、光学ヘッド回路２８からのＲＦ信号を２値化データに変換し、変復調回路３０に供給する。
【００６２】
変復調回路３０は、制御回路２１からの制御に基づき、記録時において、エラー訂正回路３１から入力されるエラー訂正符号付きの記録データを変調し、得られる２値化信号を記録再生回路２９に出力する。また、変復調回路３０は、再生時において、記録再生回路２９からの２値化信号を復調し、得られる再生データをエラー訂正回路３１に出力する。
【００６３】
エラー訂正回路３１は、制御回路２１からの制御に基づき、記録時において、ＡＶインタフェース２３を介して外部のＡＶ機器等から供給される記録データにECC(Error Correction Code)を付加して変復調回路３０に出力する。また、エラー訂正回路３１は、再生時において、変復調回路３０から入力される再生データの誤りをECCに基づいて訂正し、ＡＶインタフェース２３を介して外部のＡＶ機器等に出力する。
【００６４】
ウォブル回路３２は、光学ヘッド回路２８から入力されるｐｐ信号に基づき、グルーブのウォブルに対応するウォブル信号（ノイズ成分が含まれるMSK変調信号）を生成して復調し、得られるアドレス情報（同期信号、アドレスデータ、およびエラー訂正符号）をアドレスデコーダ・タイミングジェネレータ(DEC・TG)３３に出力する。
【００６５】
アドレスデコーダ・タイミングジェネレータ３３は、ウォブル回路３２から入力されるアドレス情報から、シンクパートに含まれる４種類のシンクユニットパターンのうち、少なくとも１つを検出することによってシンクパートの位置を検知し、それに続くデータパートのアドレスデータおよびそのエラー訂正符号を用いてアドレスを生成し、制御回路２１に出力する。また、アドレスデコーダ・タイミングジェネレータ３３は、検知したシンクパートに基づいてタイミング信号を生成し、制御回路２１を介して光ディスクドライブの各回路に供給する。
【００６６】
ウォブル回路３２によるウォブル信号を復調してアドレス情報を復元する処理について図１４および図１５を参照して説明する。
【００６７】
はじめに、MSK変調としてDMSK変調が用いられている場合について説明する。図１４（Ａ）に示すような元のデータであるアドレス情報は、プリエンコードとして差動符号化により、図１４（Ｂ）に示すような信号となされ、MSK変調によって、図１４（Ｃ）に示すようなMSK変調信号（DMSK変調信号）として光ディスク５に記録されている。
【００６８】
ウォブル回路３２においては、ｐｐ信号からウォブル信号（ノイズ成分を含むDMSK変調信号）が生成され、そこから図１４（Ｄ）に示すようなキャリア信号が抽出される。さらに、ウォブル回路３２においては、ウォブル信号にキャリア信号が乗算されて、図１４（Ｅ）に示すようなDemod out信号が生成され、内蔵されるローパスフィルタ等によってノイズ成分が除去されて図１４（Ｆ）に示すようなLPF out信号が生成される。
【００６９】
なお、ウォブル回路３２に内蔵されるローパスフィルタ（２７タップ、FIR）の係数は、以下のとおりである。サンプリング周波数は、ウォブル周波数の８倍である。
-0.000640711
-0.000865006
0.001989255
0.009348803
0.020221675
0.03125
0.040826474
0.050034929
0.05852149
0.065960023
0.072064669
0.076600831
0.079394185
0.080337385、センタ
0.079394185
0.076600831
0.072064669
0.065960023
0.05852149
0.050034929
0.040826474
0.03125
0.020221675
0.009348803
0.001989255
-0.000865006
-0.000640711
【００７０】
さらに、ウォブル回路３２では、LPF out信号が２値化されて、図１４（Ｇ）に示すようなDemod dataが得られ、それがNRZ変換されて、図１４（Ｈ）に示すような信号（プリエンコードされたアドレス情報データ）が復元される。
【００７１】
次に、MSK変調としてGDMSK変調が用いられている場合について説明する。図１４（Ａ）に示したような元のデータであるアドレス情報は、プリエンコードとして差動符号化により、図１５（Ａ）に示すような信号とされ、ガウスフィルタ(Gausian Filter)を透過させることによって図１５（Ｂ）に示すようなMod dataとされ、さらに、DMSK変調により、図１５（Ｃ）に示すようなMSK変調信号（GDMSK変調信号）として光ディスク５に記録されている。
【００７２】
ウォブル回路３２においては、ｐｐ信号からウォブル信号（ノイズ成分を含むGDMSK変調信号）が生成され、そこから図１５（Ｄ）に示すようなキャリア信号が抽出される。さらに、ウォブル回路３２においては、ウォブル信号にキャリア信号が乗算されて、図１５（Ｅ）に示すようなDemod out信号が生成され、内蔵されるローパスフィルタ等によってノイズ成分が除去されて図１５（Ｆ）に示すようなLPF out信号が生成される。
【００７３】
さらに、ウォブル回路３２では、LPF out信号が２値化されて、図１５（Ｇ）に示すようなDemod dataが得られ、それがNRZ変換されて、図１５（Ｈ）に示すような信号（プリエンコードされたアドレス情報データ）が復元される。
【００７４】
以上説明したように、当該光ディスクドライブによれば、シンクパートに含まれる４種類のシンクユニットパターンのうち、少なくとも１つを検出することによってシンクパートの位置を検知することができる。これにより、シンクパートに続くデータパートのアドレスデータおよびそのエラー訂正符号を取得することができ、それらを用いてアドレスを生成することができるので、記録再生時のアドレスエラーレートを改善することができ、かつ、光ディスク５の任意のアドレスに素早く正確にアクセスすることができるようになる。
【００７５】
また、本発明によれば、MSK変調信号のうち、第２の信号は、第１の信号（キャリア信号）に対して１．５倍の周波数であるので、ウォブル回路３２において検出すべき周波数の範囲は非常に狭い。よって、再生時の再生帯域幅を狭くすることができる。さらに、Ｓ／Ｎを向上させることできてアドレスのエラーレートを改善することができる。
【００７６】
なお、本発明は、光ディスク５だけでなく、あらゆる種類のディスク媒体にアドレス情報を記録し、それを再生する場合に適用することが可能である。
【００７７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００７８】
この記録媒体は、図１に示すように、コンピュータとは別に、ユーザにプログラムを提供するために配布される、プログラムが記録されている磁気ディスク８（フロッピディスクを含む）、光ディスク９（CD-ROM(Compact Disc-Read Only Memory)、DVD(Digital Versatile Disc)を含む）、光磁気ディスク１０（ＭＤ(Mini Disc)を含む）、もしくは半導体メモリ１１などよりなるパッケージメディアにより構成されるだけでなく、コンピュータに予め組み込まれた状態でユーザに提供される、プログラムが記録されているROMやハードディスクなどで構成される。
【００７９】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【符号の説明】
【００８０】
１  アドレス発生部，  ２  キャリア信号生成部，  ３  変調部，  ４  ウォブル形成部，  ５  光ディスク，  ６  制御部，  ７  ドライブ，  ８  磁気ディスク，  ９  光ディスク，  １０  光磁気ディスク，  １１  半導体メモリ，２１  制御回路，  ２２  記録媒体，  ３２  ウォブル回路
【図１】
2010205406.tif 000003
【図２】
2010205406.tif 000004
【図３】
2010205406.tif 000005
【図４】
2010205406.tif 000006
【図５】
2010205406.tif 000007
【図６】
2010205406.tif 000008
【図７】
2010205406.tif 000009
【図８】
2010205406.tif 000010
【図９】
2010205406.tif 000011
【図１０】
2010205406.tif 000012
【図１１】
2010205406.tif 000013
【図１２】
2010205406.tif 000014
【図１３】
2010205406.tif 000015
【図１４】
2010205406.tif 000016
【図１５】
2010205406.tif 000017
【手続補正書】
【提出日】平成22年6月3日(2010.6.3)
【手続補正２】
【補正対象書類名】明細書
【補正対象項目名】０００１
【補正方法】変更
【補正の内容】
【０００１】
本発明は、再生装置、記録装置、制御チップ、およびディスク媒体に関し、特に、ディスク媒体に対して、アドレス情報をグルーブのウォブルとして記録できるようにした再生装置、記録装置、制御チップ、およびディスク媒体に関する。
【手続補正３】
【補正対象書類名】明細書
【補正対象項目名】０００６
【補正方法】変更
【補正の内容】
【０００６】
本発明の第１の側面である再生装置は、ディスク媒体に形成されたグルーブに基づき、前記ディスク媒体のアドレスを再生する再生装置において、前記ディスク媒体にレーザ光を照射する照射手段と、前記ディスク媒体からの反射光を受光して、前記グルーブに対応した反射光信号を抽出する抽出手段と、抽出された前記反射光信号に基づいてアドレス情報を再生する再生手段とを備え、前記ディスク媒体に形成されたグルーブのウォブルとして記録されている前記アドレス情報は、所定単位において一定の周波数でウォブリングされたグルーブを含むモノトーンビットと、前記アドレス情報をMSK変調して生成された信号でウォブリングされたグルーブを含む、前記所定単位と同じ長さのADIP(Address In Pre-groove)ビットとを有するADIPブロックが複数配置されて構成されている。
【手続補正４】
【補正対象書類名】明細書
【補正対象項目名】０００７
【補正方法】変更
【補正の内容】
【０００７】
前記ADIPブロックは、１つの前記モノトーンビットと、４つのADIPビットからなるようにすることができる。
前記ADIPブロックを構成する前記モノトーンビットは、所定単位において一定の周波数でウォブリングされたグルーブによる無変調部分を含み、前記ADIPブロックを構成する前記ADIPビットは、変調部分を含むADIPユニットと無変調部分とを含むようにすることができる。
【手続補正５】
【補正対象書類名】明細書
【補正対象項目名】０００８
【補正方法】変更
【補正の内容】
【０００８】
前記ADIPビットの前記ADIPユニットは、２種類のADIPユニットパターンのうちの一方であるようにすることができる。
【手続補正６】
【補正対象書類名】明細書
【補正対象項目名】０００９
【補正方法】変更
【補正の内容】
【０００９】
本発明の第２の側面である記録装置は、ディスク媒体に形成されたグルーブに基づき、前記ディスク媒体のアドレスを再生し、再生した前記アドレスに対して記録データを記録する記録装置において、前記ディスク媒体にレーザ光を照射する照射手段と、前記ディスク媒体からの反射光を受光して、前記グルーブに対応した反射光信号を抽出する抽出手段と、抽出された前記反射光信号に基づいてアドレス情報を再生する再生手段とを備え、前記ディスク媒体に形成されたグルーブのウォブルとして記録されている前記アドレス情報は、所定単位において一定の周波数でウォブリングされたグルーブを含むモノトーンビットと、前記アドレス情報をMSK変調して生成された信号でウォブリングされたグルーブを含む、前記所定単位と同じ長さのADIP(Address In Pre-groove)ビットとを有するADIPブロックが複数配置されて構成されている。
【手続補正７】
【補正対象書類名】明細書
【補正対象項目名】００１０
【補正方法】変更
【補正の内容】
【００１０】
本発明の第３の側面である制御チップは、ディスク媒体にレーザ光を照射する照射手段と、前記ディスク媒体からの反射光を受光する受光手段とを備えるディスクドライブの制御用の制御チップにおいて、受光された前記反射光に基づいて前記グルーブに対応した反射光信号を抽出する抽出手段と、抽出された前記反射光信号に基づいてアドレス情報を再生する再生手段とを備え、前記ディスク媒体に形成されたグルーブのウォブルとして記録されている前記アドレス情報は、所定単位において一定の周波数でウォブリングされたグルーブを含むモノトーンビットと、前記アドレス情報をMSK変調して生成された信号でウォブリングされたグルーブを含む、前記所定単位と同じ長さのADIP(Address In Pre-groove)ビットとを有するADIPブロックが複数配置されて構成されている。
【手続補正８】
【補正対象書類名】明細書
【補正対象項目名】００１１
【補正方法】変更
【補正の内容】
【００１１】
本発明の第４の側面であるディスク媒体は、スパイラル状であって、かつ、アドレス情報に対応するMSK変調信号に対応してウォブリングされたグルーブが形成されており、前記アドレス情報は、所定単位において一定の周波数でウォブリングされたグルーブを含むモノトーンビットと、前記アドレス情報をMSK変調して生成された信号でウォブリングされたグルーブを含む、前記所定単位と同じ長さのADIP(Address In Pre-groove)ビットとを有するADIPブロックが複数配置されて構成されている。
【手続補正９】
【補正対象書類名】明細書
【補正対象項目名】００１２
【補正方法】変更
【補正の内容】
【００１２】
本発明においては、ディスク媒体からの反射光に基づいてグルーブに対応した反射光信号が抽出され、抽出された反射光信号に基づいてアドレス情報が再生される。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】特許請求の範囲
【補正対象項目名】全文
【補正方法】変更
【補正の内容】
【特許請求の範囲】
【請求項１】
ディスク媒体に形成されたグルーブに基づき、前記ディスク媒体のアドレスを再生する再生装置において、
前記ディスク媒体にレーザ光を照射する照射手段と、
前記ディスク媒体からの反射光を受光して、前記グルーブに対応した反射光信号を抽出する抽出手段と、
抽出された前記反射光信号に基づいてアドレス情報を再生する再生手段と
を備え、
前記ディスク媒体に形成されたグルーブのウォブルとして記録されている前記アドレス情報は、
所定単位において一定の周波数でウォブリングされたグルーブを含むモノトーンビットと、
前記アドレス情報をMSK変調して生成された信号でウォブリングされたグルーブを含む、前記所定単位と同じ長さのADIP(Address In Pre-groove)ビットと
を有するADIPブロックが複数配置されて構成されている
再生装置。
【請求項２】
前記ADIPブロックは、１つの前記モノトーンビットと、４つのADIPビットからなる
請求項１に記載の再生装置。
【請求項３】
前記ADIPブロックを構成する前記モノトーンビットは、所定単位において一定の周波数でウォブリングされたグルーブによる無変調部分を含み、
前記ADIPブロックを構成する前記ADIPビットは、変調部分を含むADIPユニットと無変調部分を含む
請求項１または２に記載の再生装置。
【請求項４】
前記ADIPビットの前記ADIPユニットは、２種類のADIPユニットパターンのうちの一方である
請求項３に記載の再生装置。
【請求項５】
ディスク媒体に形成されたグルーブに基づき、前記ディスク媒体のアドレスを再生し、再生した前記アドレスに対して記録データを記録する記録装置において、
前記ディスク媒体にレーザ光を照射する照射手段と、
前記ディスク媒体からの反射光を受光して、前記グルーブに対応した反射光信号を抽出する抽出手段と、
抽出された前記反射光信号に基づいてアドレス情報を再生する再生手段と
を備え、
前記ディスク媒体に形成されたグルーブのウォブルとして記録されている前記アドレス情報は、
所定単位において一定の周波数でウォブリングされたグルーブを含むモノトーンビットと、
前記アドレス情報をMSK変調して生成された信号でウォブリングされたグルーブを含む、前記所定単位と同じ長さのADIP(Address In Pre-groove)ビットと
を有するADIPブロックが複数配置されて構成されている
記録装置。
【請求項６】
ディスク媒体にレーザ光を照射する照射手段と、
前記ディスク媒体からの反射光を受光する受光手段と
を備えるディスクドライブの制御用の制御チップにおいて、
受光された前記反射光に基づいて前記グルーブに対応した反射光信号を抽出する抽出手段と、
抽出された前記反射光信号に基づいてアドレス情報を再生する再生手段と
を備え、
前記ディスク媒体に形成されたグルーブのウォブルとして記録されている前記アドレス情報は、
所定単位において一定の周波数でウォブリングされたグルーブを含むモノトーンビットと、
前記アドレス情報をMSK変調して生成された信号でウォブリングされたグルーブを含む、前記所定単位と同じ長さのADIP(Address In Pre-groove)ビットと
を有するADIPブロックが複数配置されて構成されている
制御チップ。
【請求項７】
スパイラル状であって、かつ、アドレス情報に対応するMSK変調信号に対応してウォブリングされたグルーブが形成されており、
前記アドレス情報は、
所定単位において一定の周波数でウォブリングされたグルーブを含むモノトーンビットと、
前記アドレス情報をMSK変調して生成された信号でウォブリングされたグルーブを含む、前記所定単位と同じ長さのADIP(Address In Pre-groove)ビットと
を有するADIPブロックが複数配置されて構成されている
ディスク媒体。